(57)【要約】【課題】文表示領域で修正対象文字を選択した際に、複数の入力枠のうち、どの入力枠に修正文字を入力すればよいか明確に認識することができる手書き文字入力装置及び手書き文字入力方法を提供する。【解決手段】複数の文字を表示可能な文表示領域５２と、６つの入力枠５１１−１〜５１１−６を備える文字入力領域５１とを有する表示部５と、６つの入力枠５１１−１〜５１１−６に重ねて配置され、手書き文字の入力を受ける入力部２と、を備え、入力枠５１１に対応する入力部２に手書き文字が入力されることにより、入力された文字を入力枠５１１に表示するとともに、入力された文字を文表示領域５２に追加して表示し、文表示領域５２において文字の選択を受けた場合、選択された文字に対応する入力枠５１１と、文字表示領域５２に表示され、かつ、選択された文字に対応する文字とを関連を持たせて強調する。【選択図】図６
2012238295.tif 000002
【特許請求の範囲】
【請求項１】
複数の文字を表示可能な文表示領域と、複数の入力枠を備える文字入力領域とを有する表示部と、
少なくとも前記複数の入力枠に重ねて配置され、手書き文字の入力を受ける入力部と、を備え、
前記入力枠に対応する前記入力部に手書き文字が入力されることにより、入力された文字を前記入力枠に表示するとともに、前記入力された文字を前記文表示領域に追加して表示し、
前記文表示領域において文字の選択を受けた場合、選択された文字に対応する入力枠と、前記選択された文字とを関連を持たせて強調する
手書き文字入力装置。
【請求項２】
複数の文字を表示可能な文表示領域と、複数の入力枠を備える文字入力領域とを有する表示部と、
少なくとも前記複数の入力枠に重ねて配置され、手書き文字の入力を受ける入力部と、を備え、
前記入力枠に対応する前記入力部に手書き文字が入力されることにより、入力された文字を前記入力枠に表示するとともに、前記入力された文字を前記文表示領域に追加して表示し、
前記文字入力領域において文字の選択を受けた場合、選択された文字に対応する入力枠と、前記文表示領域に表示され、かつ、前記選択された文字に対応する文字とを関連を持たせて強調する
手書き文字入力装置。
【請求項３】
請求項１に記載の手書き文字入力装置であって、
前記文表示領域において文字の選択を受けた場合、選択された文字に対応する入力枠の色と、前記選択された文字の背景の色を、同色とする
手書き文字入力装置。
【請求項４】
請求項２に記載の手書き文字入力装置であって、
前記文字入力領域において文字の選択を受けた場合、選択された文字に対応する入力枠の色と、前記文表示領域に表示され、かつ、前記選択された文字に対応する文字の背景の色を、同色とする
手書き文字入力装置。
【請求項５】
請求項１又は請求項３に記載の手書き文字入力装置であって、
前記文表示領域において文字の選択を受けた場合、選択された文字に対応する入力枠と、前記文表示領域に表示されている前記選択された文字とを線で結ぶ
手書き文字入力装置。
【請求項６】
請求項２又は請求項４に記載の手書き文字入力装置であって、
前記文字入力領域において文字の選択を受けた場合、選択された文字に対応する入力枠と、前記文表示領域に表示され、かつ、前記選択された文字に対応する文字とを線で結ぶ
手書き文字入力装置。
【請求項７】
請求項１から請求項６のいずれか１項に記載の手書き文字入力装置であって、
前記入力部に入力される手書き文字を認識可能な手書き文字認識部を備え、
前記文表示領域に表示する前記入力された文字は、前記手書き文字認識部で認識された文字である
手書き文字入力装置。
【請求項８】
請求項７に記載の手書き文字入力装置であって、
前記入力枠に表示する前記入力された文字は、前記入力部に入力された手書き文字の筆跡である
手書き文字入力装置。
【請求項９】
請求項７に記載の手書き文字入力装置であって、
前記入力枠に表示する前記入力された文字は、前記手書き文字認識部で認識された文字である
手書き文字入力装置。
【請求項１０】
請求項１から請求項９のいずれか１項に記載の手書き文字入力装置であって、
前記文表示領域又は前記文字入力領域において文字の選択を受けた場合、選択された文字に対応する入力枠において表示されていた文字を消去する
手書き文字入力装置。
【請求項１１】
請求項１０に記載の手書き文字入力装置であって、
前記強調表示された入力枠以外の領域をタップされることにより、修正のため選択された文字に対応する入力枠から消去されていた文字を復帰させる
手書き文字入力装置。
【請求項１２】
請求項１０又は請求項１１に記載の手書き文字入力装置であって、
前記強調表示された入力枠以外の入力枠に文字が入力されることにより、修正のため選択された文字に対応する入力枠から消去されていた文字を復帰させる
手書き文字入力装置。
【請求項１３】
請求項１から請求項１２のいずれか１項に記載の手書き文字入力装置であって、
前記強調表示された入力枠以外の領域をタップされることにより、前記入力枠と前記選択された文字に施されている強調を終わらせる
手書き文字入力装置。
【請求項１４】
請求項１から請求項１３のいずれか１項に記載の手書き文字入力装置であって、
前記強調表示された入力枠以外の入力枠に文字が入力されることにより、当該入力された文字を前記文表示領域に追加して表示する
手書き文字入力装置。
【請求項１５】
複数の文字を表示可能な文表示領域と、複数の入力枠を備える文字入力領域とを有する表示部と、
少なくとも前記複数の入力枠に重ねて配置され、手書き文字の入力を受ける入力部と、を備える手書き文字入力装置において用いる手書き文字入力方法であって、
前記入力枠に対応する前記入力部に手書き文字が入力されることにより、入力された文字を前記入力枠に表示するとともに、前記入力された文字を前記文表示領域に追加して表示するステップと、
前記文表示領域において文字の選択を受けた場合、選択された文字に対応する入力枠と、前記選択された文字とを関連を持たせて強調するステップと、
を備える手書き文字入力方法。
【請求項１６】
複数の文字を表示可能な文表示領域と、複数の入力枠を備える文字入力領域とを有する表示部と、
少なくとも前記複数の入力枠に重ねて配置され、手書き文字の入力を受ける入力部と、を備える手書き文字入力装置において用いる手書き文字入力方法であって、
前記入力枠に対応する前記入力部に手書き文字が入力されることにより、入力された文字を前記入力枠に表示するとともに、前記入力された文字を前記文表示領域に追加して表示するステップと、
前記文字入力領域において文字の選択を受けた場合、選択された文字に対応する入力枠と、前記文表示領域に表示され、かつ、前記選択された文字に対応する文字とを関連を持たせて強調するステップと、
を備える手書き文字入力方法。
【請求項１７】
複数の文字を表示可能な文表示領域と、複数の入力枠を備える文字入力領域とを有する表示部と、
少なくとも前記複数の入力枠に重ねて配置され、手書き文字の入力を受ける入力部と、を備える手書き文字入力装置において実行可能な手書き文字入力プログラムであって、
前記入力枠に対応する前記入力部に手書き文字が入力されることにより、入力された文字を前記入力枠に表示するとともに、前記入力された文字を前記文表示領域に追加して表示するステップと、
前記文表示領域において文字の選択を受けた場合、選択された文字に対応する入力枠と前記選択された文字とを関連を持たせて強調するステップと、
を備える手書き文字入力プログラム。
【請求項１８】
複数の文字を表示可能な文表示領域と、複数の入力枠を備える文字入力領域とを有する表示部と、
少なくとも前記複数の入力枠に重ねて配置され、手書き文字の入力を受ける入力部と、を備える手書き文字入力装置において実行可能な手書き文字入力プログラムであって、
前記入力枠に対応する前記入力部に手書き文字が入力されることにより、入力された文字を前記入力枠に表示するとともに、前記入力された文字を前記文表示領域に追加して表示するステップと、
前記文字入力領域において文字の選択を受けた場合、選択された文字に対応する入力枠と、前記文表示領域に表示され、かつ、前記選択された文字に対応する文字とを関連を持たせて強調するステップと、
を備える手書き文字入力プログラム。
【発明の詳細な説明】
【技術分野】
【０００１】
本発明は、スマートフォン等の大型の表示部及びタッチパネル部を有する携帯端末に用いて好適な手書き文字入力装置及び手書き文字入力方法に関する。
【背景技術】
【０００２】
大型の表示部及びタッチパネル部を有する携帯端末の一つとして、スマートフォンと呼ばれるものがあり、近年、めざましく普及してきている。この種の携帯端末は、携帯電話とＰＤＡ（Personal Digital Assistant）を融合させたものであり、携帯電話としての無線通信機能の他に、ワイファイやブルートゥースなどの近距離無線通信機能を有し、更に、スケジュール機能及び個人情報管理機能などの多種多様な機能も有している。また、この種の携帯端末は、視認性と操作性を高めるために、大型の表示部及びタッチパネル部も有している。また、この種の携帯端末は、手書きによる文字入力も可能となっている。
【０００３】
図１４は、携帯端末に用いられる手書き文字入力装置の表示部に表示される画面イメージの一例を示す図である。この手書き文字入力装置では、文字入力領域８０、文表示領域８１及び予測候補領域８２を有している。文字入力領域８０には、６つの入力枠８００−１，８００−２，…，８００−６が設けられる。現時点では３つの入力枠８００−１，８００−２，８００−３に「今月は」の文字が入力されている。また、これらの文字が文表示領域８１にも表示される。
【０００４】
手書き入力を可能とした文字入力装置として、例えば特許文献１や特許文献２に記載されているものがある。手書き入力を可能とした文字入力装置では、誤認識が生じてもそれを容易に修正できることが大切である。そのため、特許文献１に記載された文字認識装置では、文字認識の候補の有する部首、読み、画数等の特徴を特徴候補として求め、文字認識の候補のうち、特徴候補の中から特定された特徴のものを選択するようにしている。他方、特許文献２に記載された文字入力装置では、文字を手書き入力する入力領域及び入力中の文字の色調と、既に入力が完了している文字の色調とを変えて表示するようにしている。
【先行技術文献】
【特許文献】
【０００５】
【特許文献１】特開平１１−０９６２８７号公報
【特許文献２】特開平４−３４６１２０号公報
【発明の概要】
【発明が解決しようとする課題】
【０００６】
ところで、複数の入力枠がある手書き文字入力装置の場合（図１４に示す手書き文字入力装置の場合は６つの入力枠８００−１，８００−２，…，８００−６）、文表示領域８１で修正対象文字を選択した際に、ユーザはどの入力枠８００に修正文字を入力すればよいか分かり難い。このようなことから、操作性があまり良くない。
【０００７】
なお、前述した特許文献１に記載の文字認識装置では、誤認識文字を効率良く修正できるが、修正の際にどの部分を操作すれば良いのか、どの文字が修正対象になっているかが分かり難く、修正操作に迷いが生じて修正作業の効率が低下する懸念がある。
【０００８】
また、前述した特許文献２に記載の文字入力装置では、文字入力領域の表示方法を変更することによって本文領域全体の視認性向上を図っているが、本文領域と入力領域の文字単位での関連付けをユーザに提示できておらず、文字修正の際にはどの文字が修正対象であるかが不明確である。
【０００９】
本発明は、係る事情に鑑みてなされたものであり、複数の入力枠を有する手書き文字入力装置において、文表示領域で修正対象文字を選択した際に、複数の入力枠のうち、どの入力枠に修正文字を入力すればよいか明確に認識することができる手書き文字入力装置及び手書き文字入力方法を提供することを目的とする。
【課題を解決するための手段】
【００１０】
本発明の手書き文字入力装置は、複数の文字を表示可能な文表示領域と、複数の入力枠を備える文字入力領域とを有する表示部と、少なくとも前記複数の入力枠に重ねて配置され、手書き文字の入力を受ける入力部と、を備え、前記入力枠に対応する前記入力部に手書き文字が入力されることにより、入力された文字を前記入力枠に表示するとともに、前記入力された文字を前記文表示領域に追加して表示し、前記文表示領域において文字の選択を受けた場合、選択された文字に対応する入力枠と、前記選択された文字とを関連を持たせて強調する。
【００１１】
上記構成によれば、文表示領域において文字の選択を受けた場合、選択された文字に対応する入力枠と、選択された文字とを関連を持たせて強調するので、複数の入力枠のうち、どの入力枠に修正文字を入力すればよいか明確に認識することができ、文字入力の効率が向上する。
【００１２】
本発明の手書き文字入力装置は、複数の文字を表示可能な文表示領域と、複数の入力枠を備える文字入力領域とを有する表示部と、少なくとも前記複数の入力枠に重ねて配置され、手書き文字の入力を受ける入力部と、を備え、前記入力枠に対応する前記入力部に手書き文字が入力されることにより、入力された文字を前記入力枠に表示するとともに、前記入力された文字を前記文表示領域に追加して表示し、前記文字入力領域において文字の選択を受けた場合、選択された文字に対応する入力枠と、前記文表示領域に表示され、かつ、前記選択された文字に対応する文字とを関連を持たせて強調する。
【００１３】
上記構成によれば、文字入力領域において文字の選択を受けた場合、選択された文字に対応する入力枠と、文表示領域に表示され、かつ、選択された文字に対応する文字とを関連を持たせて強調するので、複数の入力枠のうち、どの入力枠に修正文字を入力すればよいか明確に認識することができ、文字入力の効率が向上する。
【００１４】
上記構成において、前記文表示領域において文字の選択を受けた場合、選択された文字に対応する入力枠の色と、前記選択された文字の背景の色を、同色とする。
【００１５】
上記構成によれば、選択された文字に対応する入力枠の色と、選択された文字の背景の色を同色とするので、どの入力枠に修正文字を入力すればよいか極めて明確に認識することができ、文字入力の効率が向上する。
【００１６】
上記構成において、前記文字入力領域において文字の選択を受けた場合、選択された文字に対応する入力枠の色と、前記文表示領域に表示され、かつ、前記選択された文字に対応する文字の背景の色を、同色とする。
【００１７】
上記構成によれば、選択された文字に対応する入力枠の色と、文表示領域に表示され、かつ、選択された文字に対応する文字の背景の色を同色としたので、どの入力枠に修正文字を入力すればよいか極めて明確に認識することができ、文字入力の効率が向上する。
【００１８】
上記構成において、前記文表示領域において文字の選択を受けた場合、選択された文字に対応する入力枠と、前記文表示領域に表示されている前記選択された文字とを線で結ぶ。
【００１９】
上記構成によれば、選択された文字に対応する入力枠と、文表示領域に表示されている選択された文字とを線で結ぶので、どの入力枠に修正文字を入力すればよいか極めて明確に認識することができ、文字入力の効率が向上する。
【００２０】
上記構成において、前記文字入力領域において文字の選択を受けた場合、選択された文字に対応する入力枠と、前記文表示領域に表示され、かつ、前記選択された文字に対応する文字とを線で結ぶ。
【００２１】
上記構成によれば、選択された文字に対応する入力枠と、文表示領域に表示され、かつ、選択された文字に対応する文字とを線で結ぶので、どの入力枠に修正文字を入力すればよいか極めて明確に認識することができ、文字入力の効率が向上する。
【００２２】
上記構成において、前記入力部に入力される手書き文字を認識可能な手書き文字認識部を備え、前記文表示領域に表示する前記入力された文字は、前記手書き文字認識部で認識された文字である。
【００２３】
上記構成によれば、手書き入力した文字を文字認識して文表示領域に表示するので、手書きした文字が意思通りのものであるかどうか確認することができ、文字入力の効率が向上する。
【００２４】
上記構成において、前記入力枠に表示する前記入力された文字は、前記入力部に入力された手書き文字の筆跡である。
【００２５】
上記構成によれば、入力枠内に文字を手書き入力することで、該入力枠内に筆跡を表示するので、手書きした文字が意思通りのものであるかどうか確認することができ、文字入力の効率が向上する。
【００２６】
上記構成において、前記入力枠に表示する前記入力された文字は、前記手書き文字認識部で認識された文字である。
【００２７】
上記構成によれば、手書き文字認識部で認識した文字を、該文字が手書き入力された位置に対応する入力枠に表示するので、文字入力の効率が向上する。
【００２８】
上記構成において、前記文表示領域又は前記文字入力領域において文字の選択を受けた場合、選択された文字に対応する入力枠において表示されていた文字を消去する。
【００２９】
上記構成によれば、ユーザは文字表示のない入力枠に修正文字を入力すればよく、文字表示のある入力枠に入力するよりも躊躇することなく入力することができ、文字入力の効率が向上する。
【００３０】
上記構成において、前記強調表示された入力枠以外の領域をタップされることにより、修正のため選択された文字に対応する入力枠から消去されていた文字を復帰させる。
【００３１】
上記構成によれば、入力枠以外の大きな面積の領域をタップすることで、消去済みの文字を復帰させることができ、文字入力の効率が向上する。
【００３２】
上記構成において、前記強調表示された入力枠以外の入力枠に文字が入力されることにより、修正のため選択された文字に対応する入力枠から消去されていた文字を復帰させる。
【００３３】
上記構成によれば、強調表示された入力枠以外の入力枠に文字を入力することで、入力枠から消去されていた文字を復帰させることができ、文字入力の効率が向上する。
【００３４】
上記構成において、前記強調表示された入力枠以外の領域をタップされることにより、前記入力枠と前記選択された文字に施されている強調を終わらせる。
【００３５】
上記構成によれば、入力枠以外の大きな面積の領域をタップすることで、関連を持たせて強調表示する修正モードを誤操作なく効率よく終了させることができる。
【００３６】
上記構成において、前記強調表示された入力枠以外の入力枠に文字が入力されることにより、当該入力された文字を前記文表示領域に追加して表示する。
【００３７】
上記構成によれば、文字の修正入力中であっても、他の入力枠を使って文末への文字追加を実行できるので、修正モードの終了と文末文字追加の開始を一度にできることから、文字入力の効率が向上する。
【００３８】
本発明の手書き文字入力方法は、複数の文字を表示可能な文表示領域と、複数の入力枠を備える文字入力領域とを有する表示部と、少なくとも前記複数の入力枠に重ねて配置され、手書き文字の入力を受ける入力部と、を備える手書き文字入力装置において用いる手書き文字入力方法であって、前記入力枠に対応する前記入力部に手書き文字が入力されることにより、入力された文字を前記入力枠に表示するとともに、前記入力された文字を前記文表示領域に追加して表示するステップと、前記文表示領域において文字の選択を受けた場合、選択された文字に対応する入力枠と、前記選択された文字とを関連を持たせて強調するステップと、を備える。
【００３９】
上記方法によれば、文表示領域において文字の選択を受けた場合、選択された文字に対応する入力枠と、選択された文字とを関連を持たせて強調するので、複数の入力枠のうち、どの入力枠に修正文字を入力すればよいか明確に認識することができ、文字入力の効率が向上する。
【００４０】
本発明の手書き文字入力方法は、複数の文字を表示可能な文表示領域と、複数の入力枠を備える文字入力領域とを有する表示部と、少なくとも前記複数の入力枠に重ねて配置され、手書き文字の入力を受ける入力部と、を備える手書き文字入力装置において用いる手書き文字入力方法であって、前記入力枠に対応する前記入力部に手書き文字が入力されることにより、入力された文字を前記入力枠に表示するとともに、前記入力された文字を前記文表示領域に追加して表示するステップと、前記文字入力領域において文字の選択を受けた場合、選択された文字に対応する入力枠と、前記文表示領域に表示され、かつ、前記選択された文字に対応する文字とを関連を持たせて強調するステップと、を備える。
【００４１】
上記方法によれば、文字入力領域において文字の選択を受けた場合、選択された文字に対応する入力枠と、文表示領域に表示され、かつ、選択された文字に対応する文字とを関連を持たせて強調するので、複数の入力枠のうち、どの入力枠に修正文字を入力すればよいか明確に認識することができ、文字入力の効率が向上する。
【００４２】
本発明の手書き文字入力プログラムは、複数の文字を表示可能な文表示領域と、複数の入力枠を備える文字入力領域とを有する表示部と、少なくとも前記複数の入力枠に重ねて配置され、手書き文字の入力を受ける入力部と、を備える手書き文字入力装置において実行可能な手書き文字入力プログラムであって、前記入力枠に対応する前記入力部に手書き文字が入力されることにより、入力された文字を前記入力枠に表示するとともに、前記入力された文字を前記文表示領域に追加して表示するステップと、前記文表示領域において文字の選択を受けた場合、選択された文字に対応する入力枠と前記選択された文字とを関連を持たせて強調するステップと、を備える。
【００４３】
上記プログラムによれば、文表示領域において文字の選択を受けた場合、選択された文字に対応する入力枠と、選択された文字とを関連を持たせて強調するので、複数の入力枠のうち、どの入力枠に修正文字を入力すればよいか明確に認識することができ、文字入力の効率が向上する。
【００４４】
本発明の手書き文字入力プログラムは、複数の文字を表示可能な文表示領域と、複数の入力枠を備える文字入力領域とを有する表示部と、少なくとも前記複数の入力枠に重ねて配置され、手書き文字の入力を受ける入力部と、を備える手書き文字入力装置において実行可能な手書き文字入力プログラムであって、前記入力枠に対応する前記入力部に手書き文字が入力されることにより、入力された文字を前記入力枠に表示するとともに、前記入力された文字を前記文表示領域に追加して表示するステップと、前記文字入力領域において文字の選択を受けた場合、選択された文字に対応する入力枠と、前記文表示領域に表示され、かつ、前記選択された文字に対応する文字とを関連を持たせて強調するステップと、を備える。
【００４５】
上記プログラムによれば、文字入力領域において文字の選択を受けた場合、選択された文字に対応する入力枠と、文表示領域に表示され、かつ、選択された文字に対応する文字とを関連を持たせて強調するので、複数の入力枠のうち、どの入力枠に修正文字を入力すればよいか明確に認識することができ、文字入力の効率が向上する。
【発明の効果】
【００４６】
本発明によれば、複数の入力枠を有する手書き文字入力装置において、文表示領域で修正対象文字を選択した際に、複数の入力枠のうち、どの入力枠に修正文字を入力すればよいか明確に認識することができ、文字入力の効率が向上する。
【図面の簡単な説明】
【００４７】
【図１】本発明の一実施の形態に係る手書き文字入力装置の概略構成を示すブロック図
【図２】図１の手書き文字入力装置を備えたスマートフォンの一例の概観を示す斜視図
【図３】図１の手書き文字入力装置を備えたスマートフォンの液晶表示装置における表示部の液晶パネルとタッチパネル部のタッチパネルの断面を示す図
【図４】図１の手書き文字入力装置の表示部に表示される画面イメージを示す図
【図５】図１の手書き文字入力装置の文字入力処理の概要を示す図
【図６】図１の手書き文字入力装置の文字修正モード（I）を説明するための図
【図７】図１の手書き文字入力装置の文字修正モード（II）を説明するための図
【図８】図１の手書き文字入力装置の文字修正モード（III）を説明するための図
【図９】図１の手書き文字入力装置の文字修正モード（IV）を説明するための図
【図１０】図１の手書き文字入力装置の文字修正モード（V）を説明するための図
【図１１】図１の手書き文字入力装置の文字修正モード（VI）を説明するための図
【図１２】図１の手書き文字入力装置の動作を説明するためのフローチャート
【図１３】図１の手書き文字入力装置の動作を説明するためのフローチャート
【図１４】携帯端末に用いられる手書き文字入力装置の表示部に表示される画面イメージの一例を示す図
【発明を実施するための形態】
【００４８】
以下、本発明を実施するための好適な実施の形態について、図面を参照して詳細に説明する。
【００４９】
図１は、本発明の一実施の形態に係る手書き文字入力装置の概略構成を示すブロック図である。また、図２は、図１の手書き文字入力装置を備えたスマートフォンの一例の概観を示す斜視図である。また、図３は、図１の手書き文字入力装置を備えたスマートフォンの液晶表示装置における表示部の液晶パネルとタッチパネル部のタッチパネルの断面を示す図である。また、図４は、図１の手書き文字入力装置の表示部に表示される画面イメージを示す図である。
【００５０】
まず図２を参照して本実施の形態の手書き文字入力装置１を備えたスマートフォン２０について説明する。同図において、スマートフォン２０は、カード型の筐体２１と、筐体２１の内部に設けられた回路基板２２と、回路基板２２上に構成された無線回路部２３と、筐体２１の一方の面側に設けられ、携帯電話としての無線通信機能の使用時における各種表示、スケジュール機能、個人情報管理機能及び手書き文字入力機能等の使用時における各種表示を行うための液晶表示装置２４とを備える。
【００５１】
液晶表示装置２４は、図１に示す表示部５と図示せぬタッチパネル部とから構成される。図３に示すように、液晶パネル２４１とタッチパネル２４２は、タッチパネル２４２が上側になるように積層配置されている。表示部５は、入力された表示情報に応じた画像を液晶パネル２４１に表示する。タッチパネル部は、タッチパネル２４２で人の指やペンの接触を検出し、タッチパネル２４２で検出された指やペンの接触位置に応じた位置情報を出力する。
【００５２】
液晶表示装置２４の表示部５には、図４に示すように、文字入力領域５１、文表示領域５２、予測候補領域５３及び各種ボタン５４の各領域が設定される。文字入力領域５１には、文字入力するための６つの入力枠５１１−１〜５１１−６が設けられており、これらの入力枠５１１−１〜５１１−６に１文字ずつ手書き入力する。文表示領域５２は、入力中の文字を表示するための領域である。この図では「今日は良い」と入力されている。予測候補領域５３には、文字入力領域５１の入力枠５１１−１〜５１１−６に文字が手書き入力される毎に、入力された文字から予測される文字が表示される。各種ボタン５４は、文字削除用のＤＥＬボタン５４１、かな漢字の変換用の変換ボタン５４２、全半角切替え用の全半角切替ボタン５４３、カーソル左移動用の左移動カーソルボタン５４４、カーソル右移動用の右移動カーソルボタン５４５、及び、入力確定用の確定ボタン５４６である。
【００５３】
次に、図１において、本実施の形態の手書き文字入力装置１は、入力部（タッチパネル部）２と、制御部３と、表示部５とを備える。制御部３は、入力座標取得部３１と、入力座標記憶部３２と、筆跡表示部３３と、入力枠表示部３４と、手書き文字認識部３５と、認識文字記憶部３６と、認識文字フォント表示部３７と、文表示部３８と、入力枠状態記憶部３９と、文字修正操作判定部４０と、入力枠表示変更部４１と、修正対象文字表示変更部４２と、を備える。表示部５は、文字入力領域５１と、文表示領域５２とを備える。
【００５４】
入力部２は、前述したタッチパネル部のことであり、人の手の指又はペンで触れた位置の座標（以下、“入力座標”と呼ぶ）を出力する。入力座標取得部３１は、入力部２から出力された入力座標を取得する。入力座標記憶部３２は、入力座標取得部３１で取得された入力座標を記憶する。筆跡表示部３３は、入力座標記憶部３２に記憶されている入力座標から筆跡を描く表示データを生成し、表示部５の文字入力領域５１の各入力枠５１１内に筆跡を表示する。入力枠表示部３４は、文字入力領域５１に入力枠５１１を描くための表示データを生成する。手書き文字認識部３５は、入力座標記憶部３２に記憶されている手書き文字の入力座標から手書きされた文字を認識する。例えば、手書きで「い」と描かれた場合、文字の「い」と認識する。認識文字記憶部３６は、手書き文字認識部３５で認識された文字を記憶する。
【００５５】
認識文字フォント表示部３７は、認識文字記憶部３６に記憶されている認識文字を入力枠内にフォント形式で表示する。文表示部３８は、認識文字記憶部３６に記憶されている認識文字や修正対象文字表示変更部４２で修正された文字を表示部５の文表示領域５２に表示する。入力枠状態記憶部３９は、入力座標記憶部３２に記憶されている入力座標より、入力枠５１１の状態を記憶する。文字修正操作判定部４０は、入力座標取得部３１で取得された入力座標より文字修正操作を判定する。入力枠変更部４１は、文字修正操作判定部４０の判定結果に基づき入力枠の表示を変更する。修正対象文字表示変更部４２は、文字修正操作判定部４０の判定結果に基づき修正対象文字表示を変更する。
【００５６】
次に、本実施の形態の手書き文字入力装置１の文字入力処理について説明する。
図５は、本実施の形態の手書き文字入力装置１の文字入力処理の概要を示す図である。図５の（ａ）に示すように、何も入力していない状態で、文字入力領域５１の最初の入力枠５１１−１に「今」という文字を手書き入力する。これにより、図５の（ｂ）に示すように、入力枠５１１−１に「今」という文字が手で描いた通りの形状で表示される。また、このとき、予測候補領域５３には、「今」という文字から予測される文字が表示される。この例では、「今日」、「今」、「今回」、「今年」、「今度」、「今後」、「今週」、「今月」、「今朝」という文字がそれぞれ表示されている。次いで、次の入力枠５１１−２に文字を手書きしようとして、入力枠５１１−１から手を離し、次の入力枠５１１−２に文字の書き込みを行うと、図５の（ｃ）に示すように、新たな文字の書き始めの時点で、先に入力した「今」の文字が確定されて手書きの筆跡からフォント形式に変更されるとともに、予測候補領域５３に、「今」と書き始めの文字の一部（「１」）が表示される。以後同様にして文字入力を行う。図５の（ｄ）は、入力枠５１１−５まで文字入力したときの状態を示している。すなわち、「今日は良い」まで書き進められている。このようにして文字入力が行われる。
【００５７】
入力した文字を修正する場合、修正希望の文字を選択する方法として、次の３つの方法がある。
（１）カーソル５２１（図４参照）を移動させる。
（２）文表示領域５２における文字をタップする。
（３）文字入力領域５１における修正希望の入力枠５１１をタップする。
【００５８】
（１）のカーソル５２１を移動させて修正する場合は、修正希望の文字の直前にカーソル５２１を移動させて行う。このとき、文字消去する場合、ＤＥＬボタン５４１（図４参照）をタップすると良い。
（２）の文表示領域５２における文字をタップする場合は、修正希望の文字そのものをタップする。例えば図４において、文表示領域５２における「日」を修正する場合、「日」の文字そのものをタップする。
（３）の文字入力領域５１における修正希望の入力枠をタップする場合は、修正希望の文字がある入力枠５１１をタップする。例えば図４において、「日」を修正する場合、入力枠５１１−２をタップする。
【００５９】
次に、本実施の形態の手書き文字入力装置１の文字修正モードについて説明する。
【００６０】
（文字修正モード（I））
手書き文字入力装置１の文字修正モード（I）について説明する。
図６は、手書き文字入力装置１の文字修正モード（I）を説明するための図である。同図において、文字修正モード（I）では、修正対象文字と文字入力領域５１の入力枠５１１とを関連させて強調する。すなわち、修正対象文字の背景色と入力枠の色を同一色とする。図６において、「月」の文字を修正する場合、文表示領域５２における「月」の背景色６０と文字入力領域５１の入力枠５１１−２の色をオレンジ色にする。
【００６１】
このように文字修正モード（I）では、修正対象文字と入力枠５１１とを関連させて強調する。このようにすることで、６つの入力枠５１１のうち、どの入力枠５１１に文字を入力すればよいか明確に認識することができ、文字入力の効率が向上する。また、修正対象文字の強調表示と関連付けて表示することで、どの文字を修正しているのか識別が容易であり、認識しやすくなる。
【００６２】
（文字修正モード（II））
手書き文字入力装置１の文字修正モード（II）について説明する。
図７は、手書き文字入力装置１の文字修正モード（II）を説明するための図である。同図において、文字修正モード（II）は、前述した文字修正モード（I）の変形例であり、修正対象文字と入力枠５１１とを連結線６１によって関連付けたものである。このようにすることで、６つの入力枠５１１のうち、どの入力枠５１１に文字を入力すればよいか更に明確に認識することができ、文字入力の効率が更に向上する。また、修正対象文字の強調表示と関連付けて表示することで、どの文字を修正しているのか識別が極めて容易であり、認識しやすくなる。
【００６３】
（文字修正モード（III））
手書き文字入力装置１の文字修正モード（III）について説明する。
図８は、手書き文字入力装置１の文字修正モード（III）を説明するための図である。同図において、文字修正モード（III）では、前述した文字修正モード（I）に加えて、入力枠５１１内の表示を消去するものである。すなわち、「月」の文字を修正する場合、文表示領域５２における「月」の背景色６０と文字入力領域５１の入力枠５１１−２の色をオレンジ色にし、かつ入力枠５１１−２内の表示（「月」の文字の表示）を消去する。
【００６４】
このように、文字修正モード（III）では、修正対象文字と入力枠５１１とを関連させて強調するとともに、入力枠５１１内の表示を消去する。このようにすることで、手書き入力できる状態であることをユーザに気づかせやすくなる。つまり、入力枠５１１内のフォント表示が残ったままであると、ユーザは手書き入力が可能であるかどうか判断し難いため、そのフォント表示が無くなれば、ユーザは手書き入力が可能であることを容易に認識することができる。
【００６５】
（文字修正モード（IV））
手書き文字入力装置１の文字修正モード（IV）について説明する。
図９は、手書き文字入力装置１の文字修正モード（IV）を説明するための図である。同図において、文字修正モード（IV）では、強調表示した入力枠５１１−２以外の領域がタップされることにより、強調表示を終わらせるものである。すなわち、入力枠５１１−２以外の領域がタップされると（図９では、入力枠５１１−４内がタップされる）、入力枠５１１−２の強調表示が終了する。
【００６６】
このように、文字修正モード（IV）では、強調表示した入力枠５１１−２以外の領域がタップされることにより、強調表示を終わらせる。このようにすることで、修正モードの終了・キャンセルを誤操作なく容易に行える。対象となるタップ領域は強調表示枠以外の領域であり、面積が大きくタップしやすい。
【００６７】
（文字修正モード（V））
手書き文字入力装置１の文字修正モード（V）について説明する。
図１０は、手書き文字入力装置１の文字修正モード（V）を説明するための図である。同図において、文字修正モード（V）では、文字修正モード（IV）の処理で、強調表示した入力枠５１１−２に手書き文字入力をせずに入力枠５１１−２以外の領域がタップされて強調表示が終了した場合に、元の表示内容を復帰させるものである。すなわち、強調表示した入力枠５１１−２以外の領域がタップされることにより、強調表示を終了させるとともに、元の表示内容（「月」）を復帰させる。このように元の状態に復帰することで、修正モードがキャンセルされたことをユーザが気づき易くなり、文字入力の効率が向上する。
【００６８】
（文字修正モード（VI））
手書き文字入力装置１の文字修正モード（VI）について説明する。
図１１は、手書き文字入力装置１の文字修正モード（VI）を説明するための図である。同図において、文字修正モード（VI）では、強調表示した入力枠５１１−２以外の入力枠５１１−４に手書き文字入力された場合、文末に文字を追加するものである。すなわち、一旦、修正がキャンセルした状況が発生し、共に文末に追加ができる。このように他の入力枠を使用して文末への文字追加を実行できるので、修正モードの終了と、文末文字追加の開始を一度にでき、文字入力の効率が向上する。
【００６９】
次に、本実施の形態の手書き文字入力装置１の動作について説明する。
図１２及び図１３は、本実施の形態の手書き文字入力装置１の動作を説明するためのフローチャートである。なお、現在の入力枠５１１をＡｎ、前回の入力枠５１１をＡｐとする。図１２及び図１３において、まず初期化処理として、ステップＳ１〜Ｓ３の処理を行う。すなわち、現在の入力枠Ａｎを入力無しの状態にし（ステップＳ１）、更に前回の入力枠Ａｐを入力無しの状態にする（ステップＳ２）。そして、全ての入力枠を未入力状態にする（ステップＳ３）。
【００７０】
全ての入力枠の状態が未入力状態になった後、入力座標取得部３１が、入力部２から出力される入力座標を取得する（ステップＳ４）。すなわち、ユーザの手書き文字入力による筆跡を入力座標として取得する。入力座標取得部３１が取得した入力座標は、入力座標記憶部３２に記憶される。次いで、入力座標位置に該当する入力枠があるかどうか判定する（ステップＳ５）。入力座標位置に該当する入力枠がないと判断した場合（ステップＳ５で「Ｎｏ」と判断した場合）、ステップＳ４に戻り、ステップＳ４の処理を繰り返す。これに対し、入力座標位置に該当する入力枠があると判断した場合（ステップＳ５で「Ｙｅｓ」と判断した場合）、入力座標位置に該当する入力枠を現在の入力枠Ａｎに対応する記憶領域に記憶する（ステップＳ６）。
【００７１】
入力座標位置に該当する入力枠が現在の入力枠Ａｎに対応する記憶領域に記憶された後、現在の入力枠Ａｎの状態を判定する（ステップＳ７）。この判定において、入力枠への文字入力が未入力又は入力中である場合、現在の入力枠Ａｎの状態を入力中にセットする（ステップＳ８）。これに対し、入力枠への文字入力が修正中である場合、現在の入力枠Ａｎの状態を修正中にセットする（ステップＳ９）。また、入力枠への文字入力が確定済み（すなわち、フォント化された状態）の場合、現在の入力枠Ａｎの状態を修正中にセットする（ステップＳ１０）。
【００７２】
ステップＳ７の判定において、入力枠への文字入力が未入力又は入力中、あるいは修正中の場合、筆跡表示部３３が、現在の入力枠Ａｎに手書き文字の筆跡を表示する（ステップＳ１１）。次いで、手書き文字認識部３５が、手書き文字の筆跡から文字を認識する（ステップＳ１２）。手書き文字認識部３５にて文字認識が行われた後、文表示部３８が、手書き文字認識部３５で認識された文字を表示部５の文表示領域５２の現在の入力枠Ａｎ内に表示する（ステップＳ１３）。
【００７３】
一方、ステップＳ７の判定において、入力枠への文字入力が確定済みである場合、文字修正操作判定部４０が、現在の入力枠Ａｎの状態を修正中にセットする（ステップＳ１０）。次いで、入力枠表示変更部４１が、表示部５の文字入力領域５１における現在の入力枠Ａｎの枠境界色を変更する（例えば、オレンジ色にする）（ステップＳ１４）。次いで、修正対象文字表示変更部４２が、表示部５の文表示領域５２における修正対象文字の背景色を変更する（例えば、オレンジ色にする）（ステップＳ１５）。表示部５の文字入力領域５１における現在の入力枠Ａｎの枠境界色と、表示部５の文表示領域５２における修正対象文字の背景色とが変更された後、認識文字フォント表示部３７が、現在の入力枠Ａｎ内のフォント表示を消去する（ステップＳ１６）。例えば、「月」の文字を消去する。
【００７４】
ステップＳ１３及びステップＳ１６のいずれかの処理が行われた後、前回の入力枠Ａｐが入力無しの状態でなく、かつ現在の入力枠Ａｎが前回の入力枠Ａｐと違うかどうか判定する（ステップＳ１７）。つまり、前回触れた入力枠と今回触れた入力枠とが違うかどうか判定する。ステップＳ１７の判定において、前回触れた入力枠と今回触れた入力枠が同一の入力枠である場合、前回の入力枠Ａｐに現在の入力枠Ａｎの状態をセットし（ステップＳ２３）、ステップＳ４に戻る。これに対し、ステップＳ１７の判定において、前回触れた入力枠と今回触れた入力枠が相異なっている場合、前回の入力枠Ａｐの状態を判定する（ステップＳ１８）。この判定において、前回の入力枠Ａｐの状態が未入力又は確定済みの場合、ステップＳ２３で前回の入力枠Ａｐに現在の入力枠Ａｎの状態をセットし（ステップＳ２３）、ステップＳ４に戻る。これに対し、前回の入力枠Ａｐの状態が入力中の場合、認識文字フォント表示部３７が、前回の入力枠Ａｐ内の筆跡表示を消去し（ステップＳ１９）、次いで、前回の入力枠Ａｐ内に認識された文字をフォント表示する（ステップＳ２１）。つまり、筆跡表示をフォント化する。そして、前回の入力枠Ａｐの状態を確定済みに設定する（ステップＳ２２）。次いで、前回の入力枠Ａｐに現在の入力枠Ａｎの状態をセットし（ステップＳ２３）、ステップＳ４に戻る。
【００７５】
ステップＳ１８の判定において、前回の入力枠Ａｐの状態が修正中である場合、入力枠表示変更部４１が、入力枠Ａｐの枠境界色を元に戻す（ステップＳ２０）。次いで、修正対象文字表示変更部４２が、修正対象文字の背景色６０を元に戻す（ステップＳ２４）。入力枠Ａｐの枠境界色と修正対象文字の背景色６０が元に戻された後、入力枠Ａｐに筆跡入力があったかどうか判定する（ステップＳ２５）。入力枠Ａｐに筆跡入力があった場合（ステップＳ２５の判定で「Ｙｅｓ」と判断した場合）、ステップＳ１９に進み、入力枠Ａｐ内の筆跡表示を消去する。これに対し、入力枠Ａｐに筆跡入力がない場合（ステップＳ２５の判定で「Ｎｏ」と判断した場合）、認識文字フォント表示部３７が、入力枠Ａｐ内に元の認識文字をフォント表示する（ステップＳ２６）。入力枠Ａｐ内に元の認識文字をフォント表示した後、ステップＳ２２に進み、前回の入力枠Ａｐの状態を確定済みに設定する。ステップＳ２３の処理を終えた後、ステップＳ４に戻る。そして、ステップＳ４〜ステップＳ２３の処理を繰り返す。
【００７６】
このように本実施の形態に係る手書き文字入力装置１によれば、複数の文字を表示可能な文表示領域５２と、６つの入力枠５１１−１〜５１１−６を備える文字入力領域５１とを有する表示部５と、６つの入力枠５１１−１〜５１１−６に重ねて配置され、手書き文字の入力を受ける入力部２と、を備え、入力枠５１１に対応する入力部２に手書き文字が入力されることにより、入力された文字を入力枠５１１に表示するとともに、入力された文字を文表示領域５２に追加して表示し、文表示領域５２において文字の選択を受けた場合、選択された文字に対応する入力枠５１１と、文字表示領域５２に表示され、かつ、選択された文字に対応する文字とを関連を持たせて強調するので、６つの入力枠５１１−１〜５１１−６のうち、どの入力枠５１１に修正文字を入力すればよいか明確に認識することができ、文字入力の効率が向上する。
【００７７】
また、本実施の形態に係る手書き文字入力装置１によれば、文字入力領域５１において文字の選択を受けた場合、選択された文字に対応する入力枠５１１と、文表示領域５２に表示され、かつ、選択された文字に対応する文字とを連結線６１で結ぶので、６つの入力枠５１１−１〜５１１−６のうち、どの入力枠５１１に修正文字を入力すればよいか明確に認識することができ、文字入力の効率が向上する。
【００７８】
また、本実施の形態に係る手書き文字入力装置１によれば、手書き入力した文字を文字認識して文表示領域５２に表示するので、手書きした文字が意思通りのものであるかどうか確認することができ、文字入力の効率が向上する。
【００７９】
また、本実施の形態に係る手書き文字入力装置１によれば、入力枠５１１内に文字を手書き入力することで、該入力枠５１１内に筆跡を表示するので、手書きした文字が意思通りのものであるかどうか確認することができ、文字入力の効率が向上する。
【００８０】
また、本実施の形態に係る手書き文字入力装置１によれば、文表示領域５２又は文字入力領域５１において文字の選択を受けた場合、選択された文字に対応する入力枠５１１において表示されていた文字を消去するので、ユーザは文字表示のない入力枠に修正文字を入力すればよく、文字表示のある入力枠５１１に入力するよりも躊躇することなく入力することができ、文字入力の効率が向上する。
【００８１】
また、本実施の形態に係る手書き文字入力装置１によれば、強調表示した入力枠５１１以外の面積の大きな領域がタップされることにより、修正のため選択された文字に対応する入力枠５１１から消去していた文字を復帰させるので、文字入力の効率が向上する。
【００８２】
また、本実施の形態に係る手書き文字入力装置１によれば、強調表示した入力枠５１１以外の入力枠５１１に文字が入力されることにより、修正のため選択された文字に対応する入力枠から消去されていた文字を復帰させるので、文字入力の効率が向上する。
【００８３】
また、本実施の形態に係る手書き文字入力装置１によれば、強調表示した入力枠５１１以外の領域がタップされることにより、入力枠５１１と選択された文字に施されている強調を終わらせるので、関連を持たせて強調表示する修正モードを誤操作なく効率よく終了させることができる。
【００８４】
また、本実施の形態に係る手書き文字入力装置１によれば、強調表示した入力枠５１１以外の入力枠５１１に文字が入力されることにより、当該入力された文字を文表示領域５２に追加して表示するので、文字の修正入力中であっても、他の入力枠５１１を使って文末への文字追加を実行できる。また、修正モードの終了と文末文字追加の開始を一度にできることから、文字入力の効率が向上する。
【００８５】
なお、上記実施の形態の手書き文字入力装置１では、６つの入力枠５１１−１〜５１１−６を設けたが、入力枠の数に限定はなく任意である。
【００８６】
また、上記実施の形態の手書き文字入力装置１の上記した処理を記述したプログラムを、磁気ディスク、光ディスク、光磁気ディスク、半導体メモリ等の記憶媒体に格納して配布したり、インターネット等の電気通信回線を利用して配布したりすることも可能である。
【００８７】
ここで、本願と基礎出願との対応関係を以下の表１に示しておく。
【００８８】
【表１】
2012238295.tif 000003
【産業上の利用可能性】
【００８９】
本発明は、文表示領域で修正対象文字を選択した際に、複数の入力枠のうち、どの入力枠に修正文字を入力すればよいか明確に認識することができるといった効果を有し、スマートフォン等の大型の表示部及びタッチパネル部を有する携帯端末への適用が可能である。
【符号の説明】
【００９０】
１  手書き文字入力装置
２  入力部
３  制御部
５  表示部
２０  スマートフォン
２１  筐体
２２  回路基板
２３  無線回路部
２４  液晶表示装置
３１  入力座標取得部
３２  入力座標記憶部
３３  筆跡表示部
３４  入力枠表示部
３５  手書き文字認識部
３６  認識文字記憶部
３７  認識文字フォント表示部
３８  文表示部
３９  入力枠状態記憶部
４０  文字修正操作判定部
４１  入力枠表示変更部
４２  修正対象文字表示変更部
５１  文字入力領域
５２  文表示領域
５３  予測候補領域
５４  各種ボタン
６０  背景色
２４１  液晶パネル
２４２  タッチパネル
５１１−１〜５１１−６  入力枠
５４１  文字削除用のＤＥＬボタン
５４２  かな漢字の変換用の変換ボタン
５４３  全半角切替え用の全半角切替ボタン
５４４  カーソル左移動用の左移動カーソルボタン
５４５  カーソル右移動用の右移動カーソルボタン
５４６  入力確定用の確定ボタン
【図１】
2012238295.tif 000004
【図２】
2012238295.tif 000005
【図３】
2012238295.tif 000006
【図４】
2012238295.tif 000007
【図５】
2012238295.tif 000008
【図６】
2012238295.tif 000009
【図７】
2012238295.tif 000010
【図８】
2012238295.tif 000011
【図９】
2012238295.tif 000012
【図１０】
2012238295.tif 000013
【図１１】
2012238295.tif 000014
【図１２】
2012238295.tif 000015
【図１３】
2012238295.tif 000016
【図１４】
2012238295.tif 000017